(57)【要約】【課題】ユーザのニーズに合致するように複数の撮影補助のためのマーカーを適切に利用できるようにする。【解決手段】カメラ部１０により取り込まれた映像に合成する複数種類の撮影補助マーク（撮影補助用のマーカー）を、制御部１００により制御されるＯＳＤ部２０により形成するようにし、これらの撮影補助マークを合成手段によって、カメラ部１０からの映像に合成して表示できるようにする。この場合、操作部１１０を通じて受け付けたユーザからの撮影補助マークについての指示入力に基づいて、制御部１００が、ＯＳＤ部２０とベースバンド処理部３０とを制御し、指示に応じた撮影補助マークがカメラ部１０からの映像信号に対して合成される。【選択図】図１
2006135490.tif 000002
【特許請求の範囲】
【請求項１】
被写体を撮像して映像信号を出力する撮像手段と、
前記撮像手段より出力された映像信号に対して合成する複数種類の撮影補助マークを形成する形成手段と、
前記形成手段により形成された撮影補助マークを、前記撮像手段からの前記映像信号に合成する合成手段と、
前記撮影補助マークについての指示入力を受け付ける受付手段と、
前記受付手段を通じて受け付けた前記指示入力に基づいて、前記形成手段と前記合成手段とを制御し、前記指示入力に応じた撮影補助マークを前記映像信号に合成するように制御する制御手段と
を備えることを特徴とする撮像装置。
【請求項２】
請求項１に記載の撮像装置であって、
形成する映像信号のフォーマットが異なる複数の撮影モードの選択入力を受け付ける選択入力受付手段と、
前記選択入力受付手段を通じて受け付けた前記選択入力に応じて、前記撮像手段を制御し、選択された撮影モードに切り替えるようにする撮影モード変更手段と
を備え、
前記制御手段は、選択された撮影モードに応じて、前記形成手段においての前記撮影補助マークの形成を制御することを特徴とする撮像装置。
【請求項３】
請求項１または請求項２に記載の撮像装置であって、
形成する映像信号の形式が異なる複数の撮影モードの選択入力を受け付ける選択入力受付手段と、
前記選択入力受付手段を通じて受け付けた前記選択入力に応じて、前記撮像手段を制御し、選択された撮影モードに切り替えるようにする撮影モード変更手段と
を備え、
前記制御手段は、選択された撮影モードに応じて、前記形成手段により形成される撮影補助マークの合成／非合成を制御することを特徴とする撮像装置。
【請求項４】
請求項１に記載の撮像装置であって、
前記撮像手段より出力された映像信号をそれぞれ異なる形式で出力する複数の出力端部を備え、
前記形成手段は、前記撮影補助マーカーを複数の前記出力端部のそれぞれに供給する前記映像信号の形式に応じて形成し、
前記合成手段は、複数の前記出力端部のそれぞれに供給する前記映像信号に対して、対応する前記撮影補助マークを合成することを特徴とする撮像装置。
【請求項５】
請求項１に記載の撮像装置であって、
前記受付手段は、少なくとも前記複数種類の撮影補助マークの内から形成する撮影補助マークの選択入力を受け付けることができるものであることを特徴とする撮像装置。
【請求項６】
請求項１、請求項２、請求項３または請求項４に記載の撮像装置であって、
前記形成手段によって形成される複数の前記撮影補助マーク全体の表示／非表示の切替入力を直接に受け付ける切替入力受付手段と、
前記切替入力受付手段を通じて受け付けた前記切替入力に応じて、複数の前記撮影補助マーク全体の表示／非表示を切り替えるようにする切替制御手段と
を備えることを特徴とする撮像装置。
【請求項７】
被写体の画像を撮像して映像信号として取り込むようにする撮像手段を備える撮像装置において、前記撮像手段により取り込まれた映像信号に対して撮影補助マークを合成して用いるようにする場合の撮影補助マーク利用制御方法であって、
前記撮影補助マークについての指示入力を受け付ける受付工程と、
前記受付工程において受け付けた前記指示入力に応じて、Ｎ（Ｎは０以上の整数）種類の撮影補助マークを形成する形成工程と、
前記形成工程において形成したＮ種類の前記撮影補助マークを前記撮像手段からの前記映像信号に合成する合成工程と
を有することを特徴とする撮影補助マーク利用制御方法。
【請求項８】
請求項７に記載の撮影補助マーク利用制御方法であって、
形成する映像信号の形式が異なる複数の撮影モードの選択入力を受け付ける選択入力受付工程と、
前記選択入力受付手段を通じて受け付けた前記選択入力に応じて、前記撮像手段を制御し、選択された撮影モードに切り替えるようにする撮影モード変更工程と
を有し、
前記形成工程においては、選択された撮影モードに応じて、前記撮影補助マークの形成を制御するようにすることを特徴とする撮影補助マーク利用制御方法。
【請求項９】
請求項７または請求項８に記載の撮影補助マーク利用制御方法であって、
形成する映像信号のフォーマットが異なる複数の撮影モードの選択入力を受け付ける選択入力受付工程と、
前記選択入力受付手段を通じて受け付けた前記選択入力に応じて、前記撮像手段を制御し、選択された撮影モードに切り替えるようにする撮影モード変更工程と
を有し、
前記合成工程においては、選択された撮影モードに応じて、前記撮影補助マークの合成を制御するようにすることを特徴とする撮影補助マーク利用制御方法。
【請求項１０】
請求項７に記載の撮影補助マーク利用制御方法であって、
前記撮像手段により取り込まれた前記映像信号に応じた映像信号を出力するようにする複数の出力端部を備えており、
前記形成工程においては、撮影補助マークを複数の前記出力端部のそれぞれに供給する前記映像信号のフォーマットに応じて形成し、
前記合成工程においては、複数の前記出力端部のそれぞれに供給する前記映像信号に対して、対応する前記撮影補助マークを合成することを特徴とする撮影補助マーク利用制御方法。
【請求項１１】
請求項７に記載の撮影補助マーク利用制御方法であって、
前記受付工程においては、少なくとも複数種類の撮影補助マークの内から形成する撮影補助マークの選択入力を受け付けることを特徴とする撮影補助マーク利用制御方法。
【請求項１２】
請求項７、請求項８、請求項９または請求項１０に記載の撮影補助マーク利用制御方法であって、
前記形成工程において形成する複数の前記撮影補助マーク全体の表示／非表示の切替入力を受け付ける切替入力受付工程と、
前記切替入力受付工程において受け付けた前記切替入力に応じて、複数の前記撮影補助マーク全体の表示／非表示を切り替えるようにする切替制御工程と
を備えることを特徴とする撮影補助マーク利用制御方法。
【発明の詳細な説明】
【技術分野】
【０００１】
この発明は、例えば、ビデオカメラやスチルカメラなどの種々の撮像装置およびこの撮像装置で用いられる撮影補助マークの利用制御方法に関する。
【背景技術】
【０００２】
ビデオカメラやスチルカメラなどの種々の撮像装置が広く利用されている。近年においては、アスペクト比（横縦比）が１６：９の映像（画像）の撮影と、アスペクト比が４：３の映像（画像）の撮影とを切り替えて行うことができるものも提供されている。このような撮像装置においては、アスペクト比が１６：９の映像とアスペクト比が４：３の映像との両方に対応するため、アスペクト比が１６：９のビューファインダが用いられる。
【０００３】
しかし、このような撮像装置において、アスペクト比が４：３の映像を撮影する場合、アスペクト比が１６：９のビューファインダにアスペクト比が４：３の映像が表示されることになり、どこまでが実際に撮影される撮影有効エリアであるかが分かりにくい場合がある。
【０００４】
このため、後に記す特許文献１には、アスペクト比が１６：９のビューファインダにアスペクト比が４：３の撮影有効エリアを示すマーカー（撮影有効枠）などを表示する技術が開示されている。この特許文献１に記載の技術を用いることにより、ビューファインダに表示される映像において、撮影有効エリアを正確に把握し、目的とする画像をアスペクト比が４：３の映像として適切に撮影することができるようにされる。
【特許文献１】特開平１０−０７０６７５号公報
【発明の開示】
【発明が解決しようとする課題】
【０００５】
ところで、ビデオカメラやスチルカメラなどの撮像装置においては、例えば、画角の中心位置を示すマーカーと、アスペクト比が４：３の撮影有効エリアを示すマーカーとを表示するようにして、画角の中心位置を知りつつ、４：３画枠はどの範囲かを知ることができるようにしたいとする要求がある。つまり、複数種類の撮影補助用のマーカーを同時に表示させるようにすることが望まれている。
【０００６】
また、撮影補助用のマーカーは、撮影を行っている場合であっても、必要な場合と不必要な場合とがあり、迅速に切り替えたいとする要求がある。しかし、撮影補助用のマーカーを映像に合成して表示させるようにするためには、例えば、撮像装置に設けられたＬＣＤ（Liquid Crystal Display）などの表示素子上に表示されるメニューから該当機能の設定を行う画面を開き、撮影用補助のマーカーの表示／非表示を切り替えるというような操作が必要であるため、撮影対象物を視認しながら、撮影補助用のマーカーを表示したり、消したりといった即時性を伴う操作を行うことが困難である。
【０００７】
また、従来は、外部モニター出力において、アスペクト比が４：３のいわゆるＳＤ（Standard Definition）映像のみの出力であるため、撮影補助枠を外部モニターに表示するとき、特別な加工を施すことが無く、意図した通りの撮影補助のマーカーをビューファインダ上の映像に表示できていた。
【０００８】
しかし、アスペクト比が１６：９のいわゆるＨＤ（High Definition）映像とＳＤ映像の両方を扱う撮像装置においては、ＨＤ（１６：９）画角の映像をＳＤ（４：３）画角の映像にダウンコンバートして外部モニター出力する場合は、撮影補助のマーカーも合わせて表示位置補正するなどの必要が生じる場合があると考えられる。
【０００９】
以上のことに鑑み、この発明は、ユーザのニーズに合致するように複数の撮影補助のためのマーカーを適切に利用できるようにする撮像装置および当該撮像装置で用いられる撮影補助マークの利用制御方法を提供することを目的とする。
【課題を解決するための手段】
【００１０】
上記課題を解決するため、請求項１に記載の発明の撮像装置は、
被写体を撮像して映像信号を出力する撮像手段と、
前記撮像手段より出力された映像信号に対して合成する複数種類の撮影補助マークを形成する形成手段と、
前記形成手段により形成された撮影補助マークを、前記撮像手段からの前記映像信号に合成する合成手段と、
前記撮影補助マークについての指示入力を受け付ける受付手段と、
前記受付手段を通じて受け付けた前記指示入力に基づいて、前記形成手段と前記合成手段とを制御し、前記指示入力に応じた撮影補助マークを前記映像信号に合成するように制御する制御手段と
を備えることを特徴とする。
【００１１】
この請求項１に記載の発明の撮像装置によれば、撮像手段により取り込まれた映像に合成する複数種類の撮影補助マーク（撮影補助用のマーカー）が、形成手段により形成するようにされており、これらの撮影補助マークが合成手段によって、撮像手段からの映像に合成することができるようにされている。
【００１２】
そして、受付手段によって、ユーザからの撮影補助マークについての指示入力が受け付けられ、この受け付けられた指示入力に基づいて、制御手段により形成手段と合成手段とが制御されて、撮影補助マークが撮像手段からの映像信号に対して合成することができるようにされる。
【００１３】
これによって、複数種類の撮影補助マークの全部を撮像手段からの映像信号に合成して同時に利用できるようにしたり、複数種類の撮影補助マークの内の１種類以上の撮影補助マークを撮像手段からの映像信号に合成して利用できるようにしたり、また、撮影補助マークを撮像手段からの映像信号には合成しないようにするなどして、ユーザの要求に応じた態様で複数種類の撮影補助マークを利用することができるようにされる。つまり、ユーザのニーズに合致するように複数の撮影補助マークを適切に利用することができるようにされる。
【００１４】
また、請求項２に記載の発明の撮像装置は、請求項１に記載の撮像装置であって、
形成する映像信号の形式が異なる複数の撮影モードの選択入力を受け付ける選択入力受付手段と、
前記選択入力受付手段を通じて受け付けた前記選択入力に応じて、前記撮像手段を制御し、選択された撮影モードに切り替えるようにする撮影モード変更手段と
を備え、
前記制御手段は、選択された撮影モードに応じて、前記形成手段においての前記撮影補助マークの形成を制御することを特徴とする。
【００１５】
この請求項２に記載の発明の撮像装置によれば、例えば、アスペクト比が１６：９の画像を撮影するＨＤモードと、アスペクト比が４：３の画像を撮影するＳＤモード、あるいは、撮影する映像をＮＴＳＣ（National Television System Committee）方式の映像信号として取り込むモードと撮影する映像をＰＡＬ（Phase Alternation by Line）方式の映像信号として取り込むモードというように、複数の撮影モードの利用ができるようにされている。
【００１６】
この場合に、制御手段は選択された撮影モードに応じて形成手段を制御し、受付手段を通じて形成が指示された撮影補助マークであっても、撮影モードに応じて形成しないようにしたり、あるいは、他の撮影補助マークに変更したり、あるいは、撮影補助マークを調整するようにして、意味のない撮影補助マークや適正でない撮影補助マークを形成して用いることがないようにすることを自動的に行うことができるようにされる。これにより、ユーザのニーズに合致するように複数の撮影補助マークを適切に利用することができるようにされる。
【００１７】
また、請求項３に記載の発明の撮像装置は、請求項１または請求項２に記載の撮像装置であって、
形成する映像信号のフォーマットが異なる複数の撮影モードの選択入力を受け付ける選択入力受付手段と、
前記選択入力受付手段を通じて受け付けた前記選択入力に応じて、前記撮像手段を制御し、選択された撮影モードに切り替えるようにする撮影モード変更手段と
を備え、
前記制御手段は、選択された撮影モードに応じて、前記形成手段により形成される撮影補助マークの合成／非合成を制御することを特徴とする。
【００１８】
この請求項３に記載の発明の撮像装置によれば、例えば、アスペクト比が１６：９の画像を撮影するＨＤモードと、アスペクト比が４：３の画像を撮影するＳＤモード、あるいは、撮影する映像をＮＴＳＣ方式の映像信号として取り込むモードと撮影する映像をＰＡＬ方式の映像信号として取り込むモードというように、複数の撮影モードの利用ができるようにされている。
【００１９】
この場合に、制御手段は選択された撮影モードに応じて合成手段を制御し、受付手段を通じて形成が指示された撮影補助マークであっても、撮影モードに応じて合成しないようにするなど、意味のない撮影補助マークや適正でない撮影補助マークを映像信号に合成しないようにすることを自動的に行うことができるようにされる。これにより、ユーザのニーズに合致するように複数の撮影補助マークを適切に利用することができるようにされる。
【００２０】
また、請求項４に記載の発明の撮像装置は、請求項１に記載の撮像装置であって、
前記撮像手段より出力された映像信号をそれぞれ異なる形式で出力する複数の出力端部を備え、
前記形成手段は、前記撮影補助マーカーを複数の前記出力端部のそれぞれに供給する前記映像信号の形式に応じて形成し、
前記合成手段は、複数の前記出力端部のそれぞれに供給する前記映像信号に対して、対応する前記撮影補助マークを合成することを特徴とする  。
【００２１】
この請求項４に記載の発明の撮像装置によれば、例えば、アスペクト比が１６：９の表示画面を有するＬＣＤや、アスペクト比が４：３とされた映像信号を出力するＳＤ（Standard Definition）端子などの信号の形式（フォーマット）の異なる映像信号を扱う複数の出力端部が設けられている場合に、制御手段により、形成手段が制御され、形成が指示された撮影補助マークの内、各出力端に供給する映像信号の形式に応じた撮影補助マークが形成するようにされる。また、合成手段により、各出力端に供給する形式の異なる映像信号のそれぞれに対して、対応する撮影補助マークが合成するようにされる。
【００２２】
これにより、各出力端に供給する映像信号に対して、不必要な撮影補助マークを形成して合成するなどのことがないようにされる。したがって、ユーザのニーズに合致するように複数の撮影補助マークを適切に利用することができるようにされる。
【００２３】
また、請求項５に記載の発明の撮像装置は、請求項１に記載の撮像装置であって、
前記受付手段は、少なくとも前記複数種類の撮影補助マークの内から形成する撮影補助マークの選択入力を受け付けることができるものであることを特徴とする。
【００２４】
この請求項５に記載の発明の撮像装置によれば、受付手段を通じて、少なくとも複数の撮影補助マークの内から利用する撮影補助マークを選択することができるようにされる。これにより、ユーザ自身が、必要な撮影補助マークのみを用いるようにすることができるようにされる。したがって、ユーザのニーズに合致するように複数の撮影補助マークを適切に利用することができるようにされる。
【００２５】
また、請求項６に記載の発明の撮像装置は、  請求項１、請求項２、請求項３または請求項４に記載の撮像装置であって、
前記形成手段によって形成される複数の前記撮影補助マーク全体の表示／非表示の切替入力を直接に受け付ける切替入力受付手段と、
前記切替入力受付手段を通じて受け付けた前記切替入力に応じて、複数の前記撮影補助マークの表示／非表示を切り替えるようにする切替制御手段と
を備えることを特徴とする。
【００２６】
この請求項６に記載の撮像装置によれば、撮影補助マークの表示／非表示のみを直接に受け付けることを可能にする切替入力受付手段が設けられる。これにより、少なくとも撮影補助マークの表示／非表示を撮影中に迅速かつ簡単に切り替えるることができるようにされる。これにより、ユーザのニーズに合致するように複数の撮影補助マークを適切に利用することができるようにされる。
【発明の効果】
【００２７】
この発明によれば、ユーザのニーズに合致するように複数の撮影補助マークを適切に利用することができるようにされ、これまで経験的予測から行っていた撮影の構図決めを、より短時間で済ませることなどが可能となる。
【発明を実施するための最良の形態】
【００２８】
以下、図を参照しながら、この発明の装置、方法の一実施の形態について説明する。以下に説明する実施の形態においては、この発明による装置、方法を、デジタルビデオカメラに適用した場合を例にして説明する。
【００２９】
［デジタルビデオカメラについて］
図１は、この発明の装置、方法の一実施の形態が適用されたデジタルビデオカメラを説明するためのブロック図である。図１に示すように、この実施の形態のデジタルビデオカメラは、カメラ部１０と、ＯＳＤ（On Screen Display）部２０、ベースバンド処理部３０、圧縮／伸張処理部４０、ＤＶ（Digital Video）処理部５０、テープデッキ部６０、デジタルインターフェース（以下、デジタルＩ／Ｆと略称する。）７０と、デジタル入出力端子７１を備えたものである。
【００３０】
また、この実施の形態のデジタルビデオカメラは、映像の出力端部として、Ｄ端子８１、ＬＣＤ８２、ＥＶＦ（Electro View Finder）８３、ＳＤ出力端子８４と、映像の入力端部として、ＳＤ入力端子９１を備えると共に、これらの各出力端部および入力端部に対応するインターフェース（図１においては、単にＩ／Ｆと記載。）８１ｉ、８２ｉ、８３ｉ、８４ｉ、９１ｉを備えたものである。また、各部を制御するための制御部１００を備えている。
【００３１】
制御部１００は、図１に示したように、ＣＰＵ（Central Processing Unit）１０１、ＲＯＭ（Read Only Memory）１０２、ＲＡＭ（Random Access Memory）１０３がＣＰＵバスを通じて接続されて構成されたマイクロコンピュータである。ＲＯＭ１０２は、フラッシュＲＯＭあるいはＥＥＰＲＯＭ（Electrically Erasable and Programmable ROM）であり、ＣＰＵ１０１において実行する各種のプログラムや処理に必要になるデータなどが記録されていると共に、ユーザによって設定されるパラメータなどの設定情報も受け付けて、これを記憶保持することもできるものである。なお、以下において、ＲＯＭ１０２は、フラッシュＲＯＭであるものとして説明する。また、ＲＡＭ１０３は、処理の途中結果を一時記憶するなど主に作業領域として用いられるものである。
【００３２】
制御部１００には、種々の操作キー、操作ダイヤルなどが設けられた操作部１１０が接続され、この操作部１１０を通じてユーザからの操作入力を受け付けることができるようにされている。これによって、制御部１００は、操作部１１０を通じて受け付けたユーザからの指示入力（操作入力）に応じて各部を制御することができるようにされる。
【００３３】
また、この実施の形態のデジタルビデオカメラのカメラ部１０は、説明を簡単にするため、映像系と音声系とからなるものとしている。すなわち、カメラ部１０の映像系は、レンズ、フォーカス機構、シャッター機構、絞り（アイリス）機構などを備えた光学ブロック１１と、ＣＣＤ（Charge Coupled Device）１２と、前処理回路１３とからなっており、音声系は、マイクロホン１４と、入出力処理部１５と、Ａ／Ｄ（Analog/Digital）変換およびＤ／Ａ（Digital/Analog）変換を行う変換部１６と、音声出力端子１７とからなっている。
【００３４】
この実施の形態のカメラ部１０の映像系は、被写体の映像をアスペクト比が１６：９の映像として取り込むＨＤモードと、被写体の映像をアスペクト比が４：３の映像として取り込むＳＤモードとの２つの撮影モードを備え、ユーザの指示入力に応じた制御部１００の制御によって、いずれの撮影モードで映像を撮影するかを切り替えることができるものである。
【００３５】
そして、操作部１１０を通じて撮影を行うようにする指示入力が受け付けると、制御部１００は、この実施の形態のデジタルビデオカメラの各部を制御し、撮影動作を開始する。この場合、光学ブロック１１は、制御部１００からの制御に応じて、フォーカス機構、シャッター機構、絞り機構が制御され、被写体の映像を取り込んで、これをＣＣＤ１２に対して提供する。
【００３６】
ＣＣＤ１２は、光学ブロック１１からの映像を光電変換して出力するものであり、光学ブロック１１からの被写体の映像を取り込むとともに、取り込んだ被写体の映像（画像情報）を電気信号として前処理回路１３に供給する。前処理回路１３は、これに供給された映像信号に対して、ＣＤＳ（Correlated Double Sampling）処理を行って、Ｓ／Ｎ比を良好に保つようにするとともに、ＡＧＣ（Automatic Gain Control）処理を行って、利得を制御し、さらに、Ａ／Ｄ（Analog/Digital）変換を行って、デジタル信号とした映像データＶｄ０を形成して、これをベースバンド処理部３０に供給する。
【００３７】
一方、撮影時において、マイクロホン１４を通じて集音された音声は、電気信号に変換され、入出力処理部１５において増幅されるなどの処理が行われ後に変換部１６に供給される。変換部１６は、入出力部１５からのアナログ音声信号をデジタル信号に変換し、この変換して得た音声データＡｕ０をベースバンド処理部３０に供給する。
【００３８】
ベースバンド処理部３０は、詳しくは後述もするように、制御部１００からの制御に応じて、ＯＳＤ部２０からの撮影補助マーカーなど、映像データに対して合成すべきグラフィックスデータや文字データの供給を受けて、これをカメラ部１０からの映像データＶｄ０に対して合成するなどの処理を行って映像データを形成し、これを圧縮／伸張処理部４０、ＤＶ処理部５０、Ｄ端子８１、ＬＣＤ８２、ＥＶＦ８３、ＳＤ出力端子８４などの各部へ供給するものである。なお、この実施の形態のＯＳＤ処理部３０は、詳しくは後述もするように、制御部１００の制御に応じて、複数種類の撮影補助マーカーを形成することができるものである。
【００３９】
そして、ベースバンド処理部３０において処理された映像データが、ＨＤモードで撮影されたアスペクト比が１６：９の映像データ（ＨＤ信号）である場合、ベースバンド処理部３０からの映像データ（ＨＤ信号）Ｖｄ１と音声データＡｕ１とは、圧縮／伸張処理部４０に供給される。圧縮／伸張処理部４０は、これに供給された映像データＶｄ１と音声データＡｕ１とを、例えば、ＭＰＥＧ（Moving Picture Experts Group）方式でデータ圧縮し（エンコードし）、データ圧縮した映像データと音声データとを多重化する。
【００４０】
圧縮／伸張処理部４０において映像データと音声データとが多重化されて形成された多重化データ（ＭＰＥＧ信号）は、テープデッキ部６０に供給され、これに装填されているＤＶ（Digital Video）テープに記録（録画）され、また、デジタルＩ／Ｆ７０、デジタル入出力端子７１を通じて出力することもできるようにされている。
【００４１】
なお、この実施の形態のデジタルビデオカメラにおいて、デジタルＩ／Ｆ７０、デジタル入出力端子７１は、例えば、ＩＥＥＥ（Institute of Electrical and Electronics Engineers）１３９４規格のインターフェースである。もちろん、デジタルＩ／Ｆ７０、デジタル入出力端子７１は、ＵＳＢ（Universal Serial Bus）規格などの他の規格のデジタルインターフェースを用いるようにすることも可能である。
【００４２】
また、ベースバンド処理部３０において処理された映像データが、ＤＶ方式の信号（ＤＶ信号）である場合には、ベースバンド処理部３０からの映像データ（ＤＶ信号）Ｖｄ２と音声データＡｕ２とは、ＤＶ処理部５０に供給される。ＤＶ処理部５０は、これに供給された映像データＶｄ２と音声データＡｕ２とを多重化する。
【００４３】
ＤＶ処理部５０において映像データと音声データとが多重化されて形成された多重化データは、テープデッキ部６０に供給され、これに装填されているＤＶ（Digital Video）テープに記録（録画）され、また、デジタルＩ／Ｆ７０、デジタル入出力端子７１を通じて出力することもできるようにされる。
【００４４】
なお、上述もするように、撮影時において、ベースバンド処理部３０は、カメラ部１１からの映像信号を、Ｄ端子８１、ＬＣＤ８２、ＥＶＦ８３、ＳＤ出力端子８４へも供給する。Ｄ端子８１は、例えばＨＤ信号をアナログ出力するためのアナログインターフェースである。この実施の形態のＤ端子は、４８０ｉ／４８０ｐ／１０８０ｉ／７８０ｐに対応可能なＤ４端子と呼ばれるものであり、アスペクト比が１６：９の映像信号を出力することができるものである。
【００４５】
なお、「４８０ｉ」、「４８０ｐ」のような表記において、数字部分は有効走査線数を示し、数字の後の文字「ｉ」はインターレース走査（飛び越し走査）方式の映像信号であることを示し、数字の後の文字「ｐ」はプログレッシブ走査（順次走査）方式の映像信号であることを示している。したがって、「４８０ｉ」は、有効走査線数４８０本のインターレース走査方式の映像信号であり、「４８０ｐ」は、有効走査線数４８０本のインターレース方式の映像信号であることを意味することになる。
【００４６】
また、ＬＣＤ８２、ＥＶＦ８３は、いずれもアスペクト比が１６：９の映像信号に対応することができるものである。また、ＳＤ出力端子８４は、アスペクト比が４：３のＳＤ信号であるアナログ映像信号用の出力端子である。そして、各出力端部８１、８２、８３、８４に対応して設けられたＩ／Ｆ８１ｉ、８２ｉ、８３ｉ、８４ｉのそれぞれは、ベースバンド処理部３０からの映像データを、対応する各映像出力端部に供給するアナログ映像信号に変換する機能を有するものである。
【００４７】
また、デジタル入出力端子７１、デジタルＩ／Ｆ７０を通じてＭＰＥＧ信号（ＭＰＥＧ方式でデータ圧縮された映像データと音声データの多重化信号）の供給を受けた場合、あるいは、テープデッキ部６０に装填されたＤＶテープからＭＰＥＧ信号が読み出された場合には、これらのＭＰＥＧ信号は、圧縮／伸張処理部４０に供給され、ここで映像データと音声データとに分離されるともに、データ伸張処理が施されて、データ圧縮処理前の元の映像データと音声データとが復元され、復元された映像データと音声データとがベースバンド処理部３０に供給される。
【００４８】
ベースバンド処理部３０は、圧縮／伸張処理部３０からの映像データと音声データとの供給を受け、映像データについては、Ｄ端子８１、ＬＣＤ８２、ＥＶＦ８３、ＳＤ出力端子８４に供給するようにする。また、音声データは変換部１６に供給して、ここでアナログ音声信号に変換した後、入出力処理部１５において例えば信号形式を整えるなどの処理が施されて、アナログ音声出力端子１７から出力するようにする。
【００４９】
同様に、デジタル入出力端子７１、デジタルＩ／Ｆ７０を通じてＤＶ信号（ＤＶ方式の映像データと音声データとが多重化されて形成された多重化信号）の供給を受けた場合やテープデッキ部６０に装填されたＤＶテープからＤＶ信号を読み出した場合には、ＤＶ信号は、ＤＶ処理部５０に供給され、ここで映像データと音声データとに分離されて、これらがベースバンド処理部３０に供給される。
【００５０】
そして、ベースバンド処理部３０においては、上述したＭＰＥＧ信号を再生処理する場合と同様に、ＤＶ処理部５０からの映像データと音声データとの供給を受け、映像データについては、Ｄ端子８１、ＬＣＤ８２、ＥＶＦ８３、ＳＤ出力端子８４に供給するようにする。また、音声データは変換部１６に供給して、ここでアナログ音声信号に変換した後、入出力処理部１５において例えば信号形式を整えるなどの処理が施されて、アナログ音声出力端子１７から出力するようにする。
【００５１】
また、デジタルＩ／Ｆを通じて受け付けたＭＰＥＧ信号やＤＶ信号をテープデッキ部６０に装填されたＤＶテープに記録するようにしたり、ＳＤ入力端子９１を通じて受け付けらＳＤ信号をテープデッキ部６０に装填されたＤＶテープに記録するようにしたりすることもできるようにされる。なお、Ｉ／Ｆ９１ｉは、ＳＤ入力端子９１を通じて受け付けたＳＤ信号をデジタル信号に変換するなどの機能を有するものである。
【００５２】
このように、この実施の形態のデジタルビデオカメラは、カメラ部１０を通じて撮影した映像信号と集音した音声信号とをデジタル信号にして、出力したり、ＤＶテープに記録したりすることができると共に、入出力端子や入力端子を通じて受け付けた映像信号や音声信号をデジタル信号に変換して出力したり、ＤＶテープに記録したりすることができるものである。また、ＤＶテープに記録した映像データや音声データ、あるいは、入出力端や入力端を通じて受け付けた映像データや音声データを再生して用いることもできるものである。
【００５３】
［複数の撮影補助マーカーの利用について］（請求項１、７）
そして、この実施の形態のデジタルビデオカメラは、上述もしたように、複数の撮影補助マーカー（撮影補助枠などの撮影補助マーク）をＯＳＤ部２０において形成し、複数の撮影補助マーカーを映像データに合成することができるものである。図２は、この実施の形態のデジタルビデオカメラにおいて利用することが可能な撮影補助マーカーを説明するための図である。
【００５４】
この実施の形態のデジタルビデオカメラにおいては、図２に示すように、センターマーカーＣＥ、４：３マーカーＳＤ、セーフティーゾーンマーカーＳＦの３種類の撮影補助マーカーを利用することができるようにしている。なお、図２において、画面の左上端部の表示は撮影モードを示す情報であり、画面の右上端部の表示はタイムコードを示す情報である。
【００５５】
ここで、センターマーカーＣＥは、図２において、中央部分に十字型に表示するようにされたものであり、映像の中心位置と簡単な水平、垂直の水準として使用するものである。また、４：３マーカーＳＤは、図２において、画面の上端部から下端部を繋ぐように、画面の左右両端に１本ずつ設けられた２本の線から構成されるものであり、１６：９画角のＨＤ映像をＳＤ映像にダウンコンバートする場合において、ＳＤ映像として有効な画角（撮像有効エリア）を示すものである。また、セーフティーゾーンマーカーＳＦは、撮影した映像を再生したとき、一般のほとんどのテレビで表示されると思われる領域を示す意味を有するもの（枠線）である。
【００５６】
そして、この実施の形態のデジタルビデオカメラにおいては、図２に示した３種類の撮影補助マーカーを任意に組み合わせて利用することができるようにしている。すなわち、センターマーカーＣＥ、４：３マーカーＳＤ、セーフティーゾーンマーカーＳＦの３種類の撮影補助マーカーの全部を同時に利用するようにすることも可能であるし、３種類の撮影補助マーカーの内の任意の２種類の撮影補助マーカーを利用するようにすることも可能であるし、また、３種類の撮影補助マーカーの内の任意の１種類の撮影補助マーカーだけを利用するようにすることも可能である。また、撮影補助マーカーを全く利用しないようにすることもできる。
【００５７】
図３は、表示して用いるようにする撮影補助マーカーの選択操作を説明するための図であり、図４は、撮影補助マーカー全体としての表示のオン／オフの切り替え操作を説明するための図である。これらの操作は、この実施の形態のデジタルビデオカメラにおいては、ＬＣＤ８２の表示画面８２Ｇに表示されるメニュー表示と操作部１０とを通じて行うことができるようにされる。
【００５８】
この実施の形態のデジタルビデオカメラにおいては、例えば、メニューキーを押下操作するなどの所定の操作を行うと、制御部１００は、ＯＳＤ処理部２０、ベースバンド処理部３０を制御して、図３（Ａ）に示すようなカメラ設定メニューＭｎをＬＣＤ８２の表示画面８２Ｇに表示する。
【００５９】
この場合、カメラ設定メニューＭｎは、図３（Ａ）に示すように、ＡＥ（Auto Exposure）レスポンス、マーカー、マーカー選択、フリッカー低減、ハンドルズームスピード、ゼブラレベル、カラーバータイプなどの複数個の選択項目および一画面で全ての選択項目を表示できない場合は画面をスクロールさせることで対象の項目を表示する機能を有するものであり、操作部１１０の矢印キーなどを操作して、目的とする選択項目にカーソルＣｓを位置付けて、確定キーを押下操作するなどの所定の確定操作を行うことによって、カーソルが位置付けられている選択項目に対応する処理が制御部１００によって実行するようにされる。
【００６０】
図３（Ａ）に示したカメラ設定メニューＭｎにおいて、マーカー選択という項目にカーソルＣｓを位置付けて、確定操作を行うと、制御部１００は、ＯＳＤ処理部２０、ベースバンド処理部３０を制御して、図３（Ｂ）に示すようなマーカー選択メニューＭｋをＬＣＤ８２の表示画面８２Ｇに表示する。
【００６１】
図３（Ｂ）に示すマーカー選択メニューにおいては、図２を用いて説明した３種類の撮影補助マーカー、すなわち、センターマーカーＣＥ、４：３マーカーＳＤ、セーフティーゾーンマーカーＳＦのいずれかの撮影補助マーカーを選択することができるようにされている。目的とする撮影補助マーカーを選択するための選択項目にカーソルＣｓを位置付けて、最上段の決定表示を選択するようにすると、図３（Ｃ）、（Ｄ）、（Ｅ）に示すように、選択した撮影補助マーカーの表示のオン／オフ（入／切）を選択するための画面がＬＣＤ８２の表示画面８２Ｇに表示される。
【００６２】
なお、図３（Ｂ）において、各撮影補助マーカーを選択するための項目の横に表示された「入」または「切」の表示は、各撮影補助マーカーの現在の表示のオン／オフの設定状態を示すものである。したがって、図３（Ｂ）においては、現在、センターマーカーのみが表示オンとされており、それ以外の４：３マーカー、セーフティーゾーンマーカーは表示オフとされていることが示されている。
【００６３】
そして、図３（Ｂ）に示したマーカー選択メニューにおいて、センターマーカーを選択するための選択項目にカーソルＣｓを位置付けて、決定操作を行うと、制御部１００は、ＯＳＤ部２０、ベースバンド処理部３０を制御して、図３（Ｃ）に示すように、センターマーカーについての表示のオン／オフの設定画面をＬＣＤ８２の表示画面８２Ｇに表示する。ここでは、図３（Ｃ）に示すように、選択された撮影補助マーカーは何かを示すガイド表示ｇｄと、その撮影補助マーカーの表示のオン／オフを設定するための「切（オフ）」と「入（オン）」との２つの選択項目からなる選択項目表示ＳＴが表示される。
【００６４】
この「切（オフ）」と「入（オン）」との２つの選択項目の内の一方をユーザが選択することができるようにされる。すなわち、センターマーカーＣＥを表示させたくない場合には、「切（オフ）」にカーソルＣｓを位置付け、センターマーカーＣＥを表示させたい場合には、「入（オン）」にカーソルＣｓを位置付ける操作を行う。これにより、センターマーカーＣＥの表示のオン／オフの設定を行うことができるようにされる。
【００６５】
なお、カーソルＣｓを位置付けた後に所定の決定操作を行うことにより、選択を確定するようにすることもできる。そして、最下段のメニューの終了項目を選択することによって、制御部１００は、ＯＳＤ部２０、ベースバンド処理部３０を制御して、図３（Ｃ）に示す表示を終了させ、図３（Ｂ）に示すマーカー選択メニューＭｋの表示に戻るようにされる。
【００６６】
そして、図３（Ｂ）に示したマーカー選択メニューにおいて、４：３マーカーを選択するための選択項目にカーソルＣｓを位置付けて、決定操作を行うと、制御部１００は、ＯＳＤ部２０、ベースバンド処理部３０を制御して、図３（Ｄ）に示すように、４：３マーカーについての表示のオン／オフの設定画面をＬＣＤ８２の表示画面８２Ｇに表示する。
【００６７】
この図３（Ｄ）の場合にも、選択された撮影補助マーカーは何かを示すガイド表示ｇｄと、その撮影補助マーカーの表示のオン／オフを設定するための「切（オフ）」と「入（オン）」との２つの選択項目からなる選択項目表示ＳＴが表示され、図３（Ｃ）を用いて説明した場合と同様にして、４：３マーカーの表示のオン／オフを設定することができるようにされる。
【００６８】
また、図３（Ｂ）に示したマーカー選択メニューにおいて、セーフティーゾーンマーカーを選択するための選択項目にカーソルＣｓを位置付けて、決定操作を行うと、制御部１００は、ＯＳＤ部２０、ベースバンド処理部３０を制御して、図３（Ｄ）に示すように、セーフティーゾーンマーカーについての表示のオン／オフの設定画面をＬＣＤ８２の表示画面８２Ｇに表示する。
【００６９】
この図３（Ｄ）の場合にも、選択された撮影補助マーカーは何かを示すガイド表示ｇｄと、その撮影補助マーカーの表示のオン／オフを設定するための「切（オフ）」と「入（オン）」との２つの選択項目からなる選択項目表示ＳＴが表示され、図３（Ｃ）を用いて説明した場合と同様にして、セーフティーゾーンマーカーの表示のオン／オフを設定することができるようにされる。
【００７０】
このようにして、この実施の形態のデジタルビデオカメラにおいては、利用可能な３種類の撮影補助マーカーであるセンターマーカーＣＥ、４：３マーカーＳＤ、セーフティーゾーンマーカーＳＦのそれぞれ毎に、表示のオン／オフを設定することができるようにしている。
【００７１】
なお、図３（Ｂ）において、最上段のメニューの決定項目を選択することによって、制御部１００は、ＯＳＤ部２０、ベースバンド処理部３０を制御して、図３（Ｂ）に示す表示を終了させ、図３（Ａ）に示すカメラ設定メニューＭｎの表示に戻るようにしている。そして、この図３（Ａ）に示すカメラ設定メニューＭｎの表示において、最下段のガイド表示に示されている［ＭＥＮＵ］キーを押下することによって、制御部１００は、ＯＳＤ部２０、ベースバンド処理部３０を制御して、図３（Ａ）に示す表示を終了させるようにしている。
【００７２】
そして、この実施の形態のデジタルビデオカメラにおいては、図３を用いて説明したように、利用可能な３種類の撮影補助マーカーのそれぞれごとの表示のオン／オフの設定を行った後に、表示を行うように設定したマーカーを表示するか否かのいわば確認の設定を行うようにしている。
【００７３】
図３を用いて説明したように、表示して用いるようにする撮影補助マーカーを選択（設定）するようにした後に、図４（Ａ）に示すように、図３（Ａ）に示したカメラ設定メニューＭｎに戻った後に、選択項目である「マーカー」を選択すると、制御部１００は、ＯＳＤ部２０、ベースバンド処理部３０を制御して、図４（Ｂ）に示す撮影補助マーカーの表示のオン／オフの設定画面をＬＣＤ８２の表示画面８２Ｇに表示する。
【００７４】
ここでは、撮影補助マーカーの全体の表示のオン／オフを設定するための画面であることを示すガイド表示ｇｄと、撮影補助マーカー全体の表示のオン／オフを設定するための「切（オフ）」と「入（オン）」との２つの選択項目からなる選択項目表示ＳＴが表示される。ここで、「入（オン）」にカーソルＣｓを位置付けて、所定の決定操作を行うことにより、撮影補助マーカー全体の表示のオンにする設定することができる。この場合には、図３を用いて説明したようにして表示するように設定した全ての撮影補助マーカーを表示することができるようにされる。
【００７５】
また、「切（オフ）」にカーソルＣｓを位置付けて、所定の決定操作を行うことにより、撮影補助マーカー全体の表示をオフにする設定することができるようにされる。この場合には、図３を用いて説明したようにして表示するように設定した撮影補助マーカーがあっても、それを表示しないようにすることができる。
【００７６】
このように、ＬＣＤ８２の表示画面８２Ｇに表示される情報と操作部１１０を通じて受け付ける操作入力により、ユーザによって設定された撮影補助マーカー毎の表示のオン／オフを示す情報や、撮影補助マーカー全体についての表示のオン／オフを示す情報は、制御部１００によって受け付けられ、制御部１００のフラッシュＲＯＭ１０２に記録保持され、必要に応じて参照して利用することができるようにされる。
【００７７】
そして、この実施の形態のデジタルビデオカメラにおいては、図３を用いて説明した設定処理を行うことにより、３種類の撮影補助マーカーの全部について表示を行うように設定した場合には、図２に示したように、センターマーカーＣＥ、４：３マーカーＳＤ、セーフティーゾーンマーカーＳＦの全てをＯＳＤ部２０において形成し、これらをベースバンド処理部３０において、カメラ部１０からの映像信号Ｖｄ０に合成し、この３種類の撮影補助マーカーを合成するようにした映像信号を各映像出力端部に供給して利用することができるようにしている。
【００７８】
また、この実施の形態のデジタルビデオカメラにおいては、図３を用いて説明した設定処理を行うことにより、３種類の撮影補助マーカーの内の任意の２種類の撮影補助マーカーの表示を行うように設定した場合には、表示するように設定した２種類の撮影補助マーカーをＯＳＤ部２０において形成し、これらをベースバンド処理部３０において、カメラ部１０からの映像信号Ｖｄ０に合成し、この任意の２種類の撮影補助マーカーを合成するようにした映像信号を各映像出力端部に供給して利用することができるようにされる。
【００７９】
もちろん、この実施の形態のデジタルビデオカメラにおいては、図３を用いて説明した設定処理を行うことにより、３種類の撮影補助マーカーの内の任意の１種類の撮影補助マーカーの表示を行うようにした場合には、表示するように設定した１種類の撮影補助マーカーのみＯＳＤ部２０において形成し、これらをベースバンド処理部３０において、カメラ部１０からの映像信号Ｖｄ０に合成し、この任意の１種類の撮影補助マーカーを合成するようにした映像信号を各映像出力端部に供給して利用することができるようにされる。また、全ての撮影補助マーカーの表示をオフにすることによって、撮影補助マーカーを全く用いないようにすることもできる。
【００８０】
そして、この実施の形態のデジタルビデオカメラにおいては、複数の撮影補助マーカーの表示を同時に行うことができるので、例えば、映像の中心位置の確認と、４：３の画角の範囲の確認と、セーフティゾーンの確認とを同時に行うようにするなどのことができるので、これまで経験的予測から行っていた撮影の構図決めを、より短時間で済ませることができる。
【００８１】
また、表示できる撮影補助マーカーのパターン（種類）を複数用意し、これを利用できるようにすることによって、様々な撮影の補助や構図決めのニーズを満たすことができる。
【００８２】
［撮影モードに応じた撮影補助マーカーの利用］（請求項２、３、８、９）
そして、この実施の形態のデジタルビデオカメラは、上述もしたように被写体の映像をアスペクト比が１６：９の映像として取り込むようにするＨＤモードと、被写体の映像をアスペクト比が４：３の映像として取り込むようにするＳＤモードとの２つの撮影モードを備えている。
【００８３】
いずれの撮影モードを用いるかは、操作部１１０を通じてユーザが選択することができるようにされ、選択された撮影モードを示す情報は、制御部１００によって受け付けられて、制御部１００の例えばフラッシュＲＯＭ１０２に記録保持される。この記憶保持された情報は、必要に応じて参照し利用することができるようにされる。
【００８４】
そして、例えば、ＳＤモードで撮影を行うようにしている場合には、４：３マーカーＳＤは、意味をなさないことになる。そこで、この実施の形態のデジタルビデオカメラの制御部１００は、ユーザによって選択された撮影モードをも考慮し、撮影補助マーカーの表示のオン／オフを制御することができるものである。
【００８５】
制御部１００は、例えばフラッシュＲＯＭ１０２の設定情報を参照し、４：３マーカーの表示を行うように設定されている場合であっても、撮影モードとしてＳＤモードが選択されている場合には、ＯＳＤ部２０を制御し、４：３マーカーを形成しないようにする。このようにすることによって、ＳＤモードで撮影を行う場合には意味をなさない４：３マーカーＳＤを表示させないようにすることができる。
【００８６】
なお、ここでは、制御部１００の制御によりＯＳＤ部２０において４：３マーカーＳＤを形成しないようにするものと説明したが、これに限るものではない。４：３マーカーの表示を行うように設定されている場合であっても、撮影モードとしてＳＤモードが選択されている場合には、制御部１００は、ベースバンド処理部３０を制御して、ＯＳＤ部２０からの４：３マーカーを映像信号に合成しないようにしてもよい。
【００８７】
もちろん、制御部１００は、ＯＳＤ部２０とベースバンド処理部３０との両方を制御し、必要のない撮影補助マーカーを形成しないようにすると共に、当該必要のない撮影補助マーカーを映像信号に合成しないようにすることも可能である。しかし、ＯＳＤ部２０の撮影補助マーカーの形成処理と、ベースバンド処理部３０の撮影補助マーカーの合成処理の少なくとも一方を制御することによって、不必要な撮影補助マーカーを表示することがないようにすることができる。
【００８８】
また、ここでは、撮影モードがＳＤモードである場合に不必要になる４：３マーカーを制御部１００の制御により自動的に変更するようにしたが、これに限るものではない。例えば、撮影した映像をＮＴＳＣ方式の映像信号として取り込んで記録できるようにするＮＴＳＣモードと、撮影した映像をＰＡＬ方式の映像信号として取り込んで記録できるようにするＰＡＬモードとを設けるようにすることも可能である。
【００８９】
このようなに記録モードが複数個設けられている場合には、制御部１００は、選択された記録モードに応じた撮影補助マーカーを形成するように、ＯＳＤ処理部２０を制御することが可能である。すなわち、ＮＴＳＣ方式の映像信号に合成するためのセンターマーカー、セーフティーゾーンマーカー、ＰＡＬ方式の映像信号に合成するためのセンターマーカー、セーフティーゾーンマーカーなどを形成することができるものである。
【００９０】
ＮＴＳＣ方式の映像信号も、ＰＡＬ方式の映像信号もその信号形式（フォーマット）が異なるので、それぞれの信号形式に応じて、合成した場合に、映像上の本来の位置に撮影補助マーカーが表示されないなどの不都合を防止することが可能となる。
【００９１】
このように、撮影モードや記録モードに応じて異なる処理対象の映像信号のフォーマットに応じて、表示しても意味のない不必要な撮影補助マーカーについては、例え表示するように設定されているものであっても、ユーザは撮影補助マーカーについての設定を変更するなどの手間をかけることなく自動的に表示させないようにすることができる。
【００９２】
［出力端に応じた撮影補助マーカーの利用］（請求項４、１０）
また、この実施の形態のデジタルビデオカメラは、図１を用いて説明したように、複数の映像信号の出力端部（映像出力端部）を備えている。すなわち、Ｄ端子８１、ＬＣＤ８２、ＥＶＦ８３、ＳＤ出力端子８４を備えている。これらの映像出力端部の内、上述したように、Ｄ端子８１、ＬＣＤ８２、ＥＶＦ８３のそれぞれは、アスペクト比が１６：９の映像信号に対応可能であるが、ＳＤ出力端子８４は、アスペクト比が４：３のＳＤ信号用のものである。
【００９３】
したがって、図１に示したカメラ部１０からの映像信号がＨＤ信号である場合、この信号をダウンコンバートすることなく出力可能な出力系統は、Ｄ端子８１、ＬＣＤ８２、ＥＶＦ８３である。また、この場合、ＳＤ出力端子には、ＨＤ信号がダウンコンバートされて出力される。なお、この実施の形態において、デジタルＩ／Ｆ７０を通じて行う映像信号等の出力は、ＨＤ信号をＭＰＥＧまたはＤＶフォーマットに変換して出力するので、ＤＶフォーマットに変換した場合のみ、ＨＤ信号がダウンコンバートされる。
【００９４】
このため、この実施の形態のデジタルビデオカメラにおいて、制御部１００は、ＯＳＤ処理部２０とベースバンド処理部３０とを制御し、各映像出力端部に供給する映像信号に合致した撮影補助マーカーを形成し、各映像出力端に供給する映像信号に合成するようにしている。
【００９５】
図５〜図７は、各映像出力端毎の撮影補助マーカーの利用について説明するための図である。このうち、図５は、４：３マーカーＳＤが表示するように設定されている場合について説明するための図であり、図６は、センターマーカーＣＥが表示するように設定されている場合について説明するための図であり、図７は、セーフティーゾーンマーカーＳＦが表示するように設定されている場合について説明するための図である。
【００９６】
例えば、４：３マーカーＳＤが表示するように設定されている場合であっても、４：３マーカーＳＤは、１６：９画角のＨＤ映像をＳＤ映像にダウンコンバートする場合において、ＳＤ映像として有効な画角（撮像有効エリア）を示すものであるので、ＳＤ出力端子８４に出力するアスペクト比が４：３のＳＤ信号に対して合成しても意味がないことになる。
【００９７】
そこで、この実施の形態のデジタルビデオカメラの制御部１００は、図５に示すように、ＯＳＤ部２０を制御して、Ｄ端子８１、ＬＣＤ８２、ＥＶＦ８３のそれぞれに供給する映像信号に対して合成するための４：３マーカーＳＤを形成し、これをベースバンド処理部３０に供給すると共に、ベースバンド処理部３０を制御して、Ｄ端子８１、ＬＣＤ８２、ＥＶＦ８３のそれぞれに供給する映像信号に対しては、ＯＳＤ部２０からの４：３マーカーＳＤを合成するが、ＳＤ出力端子８４に供給する映像信号に対しては、４：３マーカーを合成しないようにする。
【００９８】
このようにすることによって、図５（Ａ）に示すように、Ｄ端子８１、ＬＣＤ８２、ＥＶＦ８３のそれぞれに供給する映像信号に対しては、４：３マーカーＳＤを合成して出力することができるようにされ、例え４：３マーカーＳＤが表示するように設定されている場合であっても、図５（Ｂ）に示すように、ＳＤ出力端子８４を通じて出力される映像信号に対しては意味のない４：３マーカーを合成しないようにすることができる。
【００９９】
また、センターマーカーＣＥは、映像の中心位置と簡単な水平、垂直の水準として使用するものであるので、センターマーカーＣＥが表示するように設定されている場合においては、Ｄ端子８１、ＬＣＤ８２、ＥＶＦ８３、ＳＤ出力端子８４のそれぞれに出力する映像信号に対して合成して意味のあるものである。
【０１００】
そこで、この実施の形態のデジタルビデオカメラの制御部１００は、図６に示すように、ＯＳＤ部２０を制御して、Ｄ端子８１、ＬＣＤ８２、ＥＶＦ８３のそれぞれに供給する映像信号に対して合成するためのセンターマーカーＳＤを形成すると共に、ＳＤ出力端子８４に供給する映像信号に対して合成するセンターマーカーＳＤを形成し、ベースバンド処理部３０を制御して、Ｄ端子８１、ＬＣＤ８２、ＥＶＦ８３、ＳＤ出力端子８４のそれぞれに供給する映像信号に対して、ＯＳＤ部２０からの対応する４：３マーカーＳＤを合成するようにする。
【０１０１】
このようにすることによって、図６（Ａ）に示すように、センターマーカーＣＥが表示するように設定されている場合には、Ｄ端子８１、ＬＣＤ８２、ＥＶＦ８３のそれぞれから出力する映像信号には、その映像信号により形成される映像の中心にセンターマーカーＣＥを表示することができるようにされ、また、図６（Ｂ）に示すように、ＳＤ出力端子８４から出力する映像信号には、その映像信号により形成される映像の中心にセンターマーカーＣＥを表示することができるようにされる。
【０１０２】
また、セーフティーゾーンマーカーＳＦは、撮影した映像を再生したとき、一般のほとんどのテレビで表示されると思われる領域を示すものであり、セーフティーゾーンマーカーＳＦが表示するように設定されている場合においては、Ｄ端子８１、ＬＣＤ８２、ＥＶＦ８３、ＳＤ出力端子８４のそれぞれに出力する映像信号に対して合成して意味のあるものである。
【０１０３】
そこで、この実施の形態のデジタルビデオカメラの制御部１００は、図７に示すように、ＯＳＤ部２０を制御して、Ｄ端子８１、ＬＣＤ８２、ＥＶＦ８３のそれぞれに供給する映像信号に対して合成するためのセーフティーゾーンマーカーＳＦを形成すると共に、ＳＤ出力端子８４に供給する映像信号に対して合成するセーフティーゾーンマーカーＳＦを形成し、ベースバンド処理部３０を制御して、Ｄ端子８１、ＬＣＤ８２、ＥＶＦ８３、ＳＤ出力端子８４のそれぞれに供給する映像信号に対して、ＯＳＤ部２０からの対応するセーフティーゾーンマーカーＳＦを合成するようにする。
【０１０４】
このようにすることによって、図７（Ａ）に示すように、セーフティーゾーンマーカーＳＦが表示するように設定されている場合には、Ｄ端子８１、ＬＣＤ８２、ＥＶＦ８３のそれぞれから出力する映像信号には、その映像信号により形成される映像にセーフティ−ゾーンマーカーＳＦを表示することができるようにされ、また、図７（Ｂ）に示すように、ＳＤ出力端子８４から出力する映像信号には、その映像信号により形成される映像にセーフティーゾーンマーカーＳＦを表示することができるようにされる。つまり、この場合には、ＨＤ出力系統とＳＤ出力系統で、枠線のサイズを変更するようにしている。
【０１０５】
このように、この実施の形態のデジタルビデオカメラにおいては、複数の映像出力端のそれぞれに供給する映像信号のフォーマットに応じて、例えば、表示するように設定されている撮影補助マーカーであっても、意味がなく不必要である撮影補助マーカーについては表示しないようにすることができるようにしている。
【０１０６】
したがって、撮影補助マークの表現方法を、出力端子毎に用途に合わせた正しい表示にすることができるので、それぞれの出力先映像を見ているユーザ間で意識のあった構図決めを行うことができる。
【０１０７】
［直接キーの利用について］（請求項５、６、１１、１２）
なお、上述したように、撮影補助マーカーの表示のオン／オフの設定や撮影補助マーカー全体の表示のオン／オフの設定は、ＬＣＤ８２の表示画面８２Ｇに表示されるメニュー表示に応じて、操作部１１０の矢印キーなどの操作キーを操作することにより行うようにした。しかし、図３、図４を用いて説明したように、目的とする処理を行うためには、複数の操作を行わなければならず、手間や時間がかかる場合がある。
【０１０８】
また、撮影中においては、撮影補助マーカーを表示したい場合と表示したくない場合とが発生するが、いちいちメニューを開いて、撮影補助マーカーの表示のオン／オフの切り替えを行うようにしていたのでは、撮影チャンスを逃してしまうことにもなりかねない。
【０１０９】
そこで、少なくとも、複数の撮影補助マーカーの全体について、表示のオン／オフを切り替えるために直接に操作することが可能な切替操作キーを操作部１１０に設ける。そして、例えば、ＥＶＦ８３を通じて映像を確認しながら撮影を行っている場合であって、その切替操作キーが操作された場合には、制御部１００は、ＯＳＤ部２０、ベースバンド処理部３０を制御して、３種類の撮影補助マーカーの全部についての表示のオン／オフを切り替えることができるようにされる。
【０１１０】
これによって、撮影補助マーカーが必要に時には表示させ、不必要なときには表示させないようにすることを、直接に操作可能な切替操作キーに対する１回の操作（１アクション）で行うことができる。
【０１１１】
なお、ここでは、３種類の撮影補助マーカーについて一括して表示のオン／オフを行うようにする場合を説明したが、これに限るものではない。例えば、センターマーカーの表示のオン／オフを切り替えるセンターマーカー用切替操作キーと、４：３マーカーの表示のオン／オフを切り替える４：３マーカー用切替操作キーと、セーフティーゾーンマーカーの表示のオン／オフを切り替えるセーフティーゾーンマーカー用切替操作キーとを設け、これらを個別に操作することによって、各撮影補助マーカー毎に表示のオン／オフを切り替えるようにすることもできる。
【０１１２】
したがって、ユーザによるシステムの各種情報の設定は、ＬＣＤ８２上に表示するＧＵＩ（Graphics User Interface）を通じて行う方法および、デジタルビデオカメラの本体に搭載したスイッチ操作で行うことができるようにされる。ＧＵＩは制御部１００の制御により、ＯＳＤ部２０が制御されてＧＵＩを形成し、ＬＣＤ８５の表示画面８５Ｇに表示することができるようにされる。また、本体に設けられるスイッチの入力による場合は、制御部１００がそれらのスイッチの入力ポートを監視し、その入力状態に応じて、所定の動作を実行することが可能である。
【０１１３】
このように、デジタルビデオカメラの操作部１１０などに設けられる直接に操作可能なスイッチなどの操作キーによって、撮影補助マーカーの表示の切り替えを行うことができるようにされ、撮影中に撮影補助マークを直ちに消したい場合や逆に表示したい場合において、１アクションで行うことができる。
【０１１４】
また、本体に設けられる専用スイッチを押下操作するという簡単な操作で、本体が撮影中かどうかによらず、ユーザの任意のタイミングで撮影補助マーカーの表示のオン／オフを即時に切り替えることができるので、多少の手順を要するメニュー操作をすることで起こりうる、撮影中の機会損失を防ぐことができる。
【０１１５】
［撮影補助マーカーに関連する処理について］
次に、このデジタルビデオカメラにおいての撮影補助マーカーに関連する処理について、図８〜図１１を用いて説明する。以下に説明する撮影補助マーカーに関連する各処理は、主に制御部１００において行うようにされる処理である。
【０１１６】
［撮影補助マーカーの選択処理について］
まず、この実施の形態のデジタルビデオカメラにおいて利用する撮影補助マーカーの選択処理について説明する。図８は、撮影補助マーカーの選択処理を説明するためのフローチャートである。図３を用いて説明したように、カメラ設定メニューＭｎに表示された選択項目から「マーカー選択」が選択されて決定するように操作されると、制御部１００は、図３（Ｂ）に示したようなマーカー選択メニューＭｋをＬＣＤ８２の表示画面８２Ｇに表示し（ステップＳ１０１）、ユーザからの操作入力を受け付けるようにする。
【０１１７】
そして、制御部１００は、マーカー選択メニューＭｋにおいて、決定操作（終了操作）がなされたか否かを判断する（ステップＳ１０２）。このステップＳ１０２の判断処理において、決定操作がなされたと判断したときには、制御部１００は、この図８に示す処理を終了し、図３（Ａ）に示したようなカメラ設定メニューの表示に戻るようにする。
【０１１８】
また、ステップＳ１０２の判断処理において、決定操作は行われていないと判断したときには、センターマーカーについての表示項目が選択されたか否かを判断する（ステップＳ１０３）。ステップＳ１０３の判断処理において、センターマーカーについての表示項目が選択されたと判断したときには、制御部１００は、ＯＳＤ部２０、ベースバンド処理部３０を制御して、図３（Ｃ）に示したようにセンターマーカーについての設定画面をＬＣＤ８２の表示画面８２Ｇに表示し（ステップＳ１０４）、表示設定を受け付けるようにする。
【０１１９】
そして、制御部１００は、表示のオン／オフ（入／切）のいずれが選択されたかを判断し（ステップＳ１０５）、表示の入（表示オン）が選択された場合には、「センターマーカー表示有り」を示すように、フラッシュＲＯＭ１０２に情報を設定する（ステップＳ１０６）。また、ステップＳ１０５の判断処理において、表示の切（表示オフ）が選択された場合には、「センターマーカー表示なし」を示すように、フラッシュＲＯＭ１０２に情報を設定する（ステップＳ１０７）。ステップＳ１０６またはステップＳ１０７の処理の後、制御部１００は、ステップＳ１０２からの処理を繰り返す。
【０１２０】
ステップＳ１０３の判断処理において、センターマーカーについての表示項目が選択されていないと判断したときには、４：３マーカーについての表示項目が選択されたか否かを判断する（ステップＳ１０８）。ステップＳ１０８の判断処理において、４：３マーカーについての表示項目が選択されたと判断したときには、ＯＳＤ部２０、ベースバンド処理部３０を制御して、図３（Ｄ）に示したように４：３マーカーについての設定画面をＬＣＤ８２の表示画面８２Ｇに表示し（ステップＳ１０９）、表示設定を受け付けるようにする。
【０１２１】
そして、制御部１００は、表示のオン／オフ（入／切）のいずれが選択されたかを判断し（ステップＳ１１０）、表示の入（表示オン）が選択された場合には、「４：３マーカー表示有り」を示すように、フラッシュＲＯＭ１０２に情報を設定する（ステップＳ１１１）。また、ステップＳ１１０の判断処理において、表示の切（表示オフ）が選択された場合には、「４：３マーカー表示なし」を示すように、フラッシュＲＯＭ１０２に情報を設定する（ステップＳ１１２）。ステップＳ１１１またはステップＳ１１２の処理の後、制御部１００は、ステップＳ１０２からの処理を繰り返す。
【０１２２】
ステップＳ１０８の判断処理において、４：３マーカーについての表示項目が選択されていないと判断したときには、セーフティーゾーンマーカーについての表示項目が選択されたか否かを判断する（ステップＳ１１３）。ステップＳ１１３の判断処理において、セーフティーゾーンマーカーについての表示項目が選択されたと判断したときには、ＯＳＤ部２０、ベースバンド処理部３０を制御して、図３（Ｅ）に示したようにセーフティーゾーンマーカーについての設定画面をＬＣＤ８２の表示画面８２Ｇに表示し（ステップＳ１１４）、表示設定を受け付けるようにする。
【０１２３】
そして、制御部１００は、表示のオン／オフ（入／切）のいずれが選択されたかを判断し（ステップＳ１１４）、表示の入（表示オン）が選択された場合には、「セーフティーゾーンマーカー表示有り」を示すように、フラッシュＲＯＭ１０２に情報を設定する（ステップＳ１１６）。また、ステップＳ１１５の判断処理において、表示の切（表示オフ）が選択された場合には、「セーフティーゾーンマーカー表示なし」を示すように、フラッシュＲＯＭ１０２に情報を設定する（ステップＳ１１７）。ステップＳ１１６またはステップＳ１１７の処理の後、制御部１００は、ステップＳ１０２からの処理を繰り返す。
【０１２４】
ステップＳ１１３の判断処理において、セーフティーゾーンマーカーについての表示項目が選択されていないと判断したときには、制御部１００は、ステップＳ１０２からの処理を繰り返すようにする。
【０１２５】
このようにして、この実施の形態のデジタルビデオカメラにおいては、３種類用意されている撮影補助マーカーのそれぞれについて利用するか否かを個々に設定することができるようにしている。
【０１２６】
［撮影補助マーカー全体として表示のオン／オフについて］
図９は、撮影補助マーカーを一体とする表示のオン／オフを設定する処理を説明するためのフローチャートである。図８を用いて説明した処理によって、各撮影補助マーカー毎に表示のオン／オフを設定するようにした後に、この実施の形態のデジタルビデオカメラにおいては、図４を用いて説明したように、３種類の撮影補助マーカーを一体とする表示のオン／オフを設定することができるようにしている。
【０１２７】
すなわち、図４（Ａ）に示したように、カメラ設定メニューＭｎに表示された選択項目から「マーカー」が選択されて決定するように操作されると、制御部１００は、図４（Ｂ）に示したような撮影補助マーカー全体についての表示のオン／オフの設定画面をＬＣＤ８２の表示画面８２Ｇに表示し（ステップＳ２０１）、ユーザからの操作入力を受け付けるようにする。
【０１２８】
そして、受け付けた表示設定は何かを判断する（ステップＳ２０２）。ステップＳ２０２の判断処理において、受け付けた操作入力が、撮影補助マーカー全体の表示を行うようにする表示オン（表示入）を指示するものであるときには、制御部１００は、フラッシュＲＯＭ１０２に撮影補助マーカー全体として表示をオンにすることを示す情報を設定する（ステップＳ２０３）。
【０１２９】
また、ステップＳ２０２の判断処理において、受け付けた操作入力が、撮影補助マーカー全体の表示を行わないようにする表示オフ（表示切）を指示するものであるときには、制御部１００は、フラッシュＲＯＭ１０２に撮影補助マーカー全体として表示をオフにすることを示す情報を設定する（ステップＳ２０４）。
【０１３０】
ステップＳ２０３またはステップＳ２０４の処理の後、この図９に示す撮影補助マーカー全体としての表示のオン／オフの設定を終了する。このようにして、複数の撮影補助マーカー個々に表示のオン／オフを設定した後に、複数の撮影補助マーカー全体について表示のオン／オフを設定することができるようにされる。
【０１３１】
［撮影補助マーカーの表示について］
次に、撮影補助マーカーを表示するようにする場合の処理について説明する。図１０は、撮影補助マーカーの表示処理について説明するためのフローチャートである。この図１０に示す処理は、撮影処理時の初めや、撮影スタンバイモードの初めの時期などにおいて、制御部１００において実行される処理である。
【０１３２】
制御部１００は、撮影時や撮影スタンバイ時などにおいては、図１０に示す処理を実行し、フラッシュＲＯＭ１０２の設定情報を参照し、まず、４：３マーカーの表示あり（表示オン）と設定されているか否かを判断する（ステップＳ３０１）。ステップＳ３０１の判断処理において、４：３マーカーの表示有りと設定されていると判断したときには、制御部１００は、ＯＳＤ部２０に対して、アスペクト比が１６：９の映像信号に合成する４：３マーカーを形成するように指示する（ステップＳ３０２）。
【０１３３】
そして、ステップＳ３０１の判断処理において、４：３マーカーの表示なしであると判断した場合、あるいは、ステップＳ３０２の処理の後に、制御部１００は、フラッシュＲＯＭ１０２の設定情報が、センターマーカーの表示有り（表示オン）を示すものか否かを判断する（ステップＳ３０３）。ステップＳ３０３の判断処理において、センターマーカーの表示有りと設定されていると判断したときには、制御部１００は、ＯＳＤ部２０に対して、センターマーカーを形成するように指示する（ステップＳ３０４）。
【０１３４】
そして、ステップＳ３０３の判断処理において、センターマーカーの表示なしであると判断した場合、あるいは、ステップＳ３０４の処理の後に、制御部１００は、フラッシュＲＯＭ１０２の設定情報が、セーフティーゾーンマーカーの表示有り（表示オン）を示すものか否かを判断する（ステップＳ３０５）。ステップＳ３０３の判断処理において、セーフティーゾーンマーカーの表示有りと設定されていると判断したときには、制御部１００は、ＯＳＤ部２０に対して、アスペクト比が１６：９の映像信号に合成するセーフティーゾーンマーカーを形成するように指示する（ステップＳ３０６）。
【０１３５】
そして、制御部１００は、ＯＳＤ処理部２０を制御し、形成するようにした各撮影補助マーカーをベースバンド処理部３０に供給するように制御し（ステップＳ３０７）、ベースバンド処理部３０に対して、アスペクト比が１６：９の映像信号、すなわちＨＤ信号に対して供給された撮影補助マーカーを合成するように指示し、各ＨＤ出力系（Ｄ端子８１、ＬＣＤ８２、ＥＶＦ８３）から撮影補助マーカーを合成した映像を出力するようにする（ステップＳ３０８）。
【０１３６】
そして、制御部１００は、フラッシュＲＯＭ１０２の設定情報を確認し、４：３マーカーの表示あり（表示オン）と設定されているか否かを判断する（ステップＳ３０９）。ステップＳ３０９の判断処理において、４：３マーカーの表示有りと設定されていると判断したときでも、制御部１００は、ＳＤ出力系には表示しないように、ＯＳＤ部２０に対して、４：３マーカーを形成する指示を出さないようにする（ステップＳ３１０）。
【０１３７】
そして、ステップＳ３０９の判断処理において、４：３マーカーの表示なしであると判断した場合、あるいは、ステップＳ３１０の処理の後に、制御部１００は、フラッシュＲＯＭ１０２の設定情報が、センターマーカーの表示有り（表示オン）を示すものか否かを判断する（ステップＳ３１１）。ステップＳ３１１の判断処理において、センターマーカーの表示有りと設定されていると判断したときには、制御部１００は、ＯＳＤ部２０に対して、センターマーカーを形成するように指示する（ステップＳ３１２）。
【０１３８】
そして、ステップＳ３１１の判断処理において、センターマーカーの表示なしであると判断した場合、あるいは、ステップＳ３１２の処理の後に、制御部１００は、フラッシュＲＯＭ１０２の設定情報が、セーフティーゾーンマーカーの表示有り（表示オン）を示すものか否かを判断する（ステップＳ３１３）。ステップＳ３１３の判断処理において、セーフティーゾーンマーカーの表示有りと設定されていると判断したときには、制御部１００は、ＯＳＤ部２０に対して、アスペクト比が４：３の映像信号に合成するセーフティーゾーンマーカーを形成するように指示する（ステップＳ３１４）。
【０１３９】
そして、制御部１００は、ＯＳＤ処理部２０を制御し、形成するようにした各撮影補助マーカーをベースバンド処理部３０に供給するように制御し（ステップＳ３１５）、ベースバンド処理部３０に対して、アスペクト比が４：３の映像信号、すなわちＳＤ信号に対して供給された撮影補助マーカーを合成するように指示し、ＳＤ出力系（ＳＤ出力端子８４）から撮影補助マーカーを合成した映像を出力するようにする（ステップＳ３１６）。
【０１４０】
このようにして、表示が指示された撮影補助マーカーが複数の映像出力端に供給される映像信号のフォーマットに応じて形成され、各映像信号に合成されて、対応する映像出力端から出力するようにされる。
【０１４１】
なお、センターマーカーについては、ＨＤ信号、ＳＤ信号においても同様に映像のセンター（中央）を示すための表示であるため、ＨＤ信号とＳＤ信号との場合で、映像の中央がずれる場合はない。ＨＤ信号からＳＤ信号へのダウンコンバートの影響を考慮して、ＨＤ信号とＳＤ信号とでそれぞれのセンターを正確に示すことができるように、ＨＤ信号用のセンターマーカーとＳＤ信号用のセンターマーカーとを別々に用意し、これを用いるようにすることももちろんできる。
【０１４２】
［撮影補助マーカーの消去処理について］
次に、上述もしたように、撮影補助マーカー全体についての表示のオン／オフを指示するための切替操作キーが操作されることにより、全ての撮影補助マーカーの表示を消去する場合の処理について説明する。図１１は、全ての撮影補助マーカーの表示を消去する処理を説明するためのフローチャートである。
【０１４３】
撮影補助マーカー全体についての表示のオン／オフを指示するための切替操作キーが操作されることによって、全ての撮影補助マーカーの消去（非表示）が指示された場合に、制御部１００は、図１１に示す処理を実行する。そして、制御部１００は、まず、ＯＳＤ処理部２０に対して、アスペクト比が１６：９のＨＤ信号に対して合成する４：３マーカーを消去するように指示し（ステップＳ４０１）、次に、ＯＳＤ処理部２０に対して、センターマーカーを消去するように指示し（ステップＳ４０２）、次に、ＯＳＤ処理部２０に対して、セーフティーゾーンマーカーを消去するように指示する（ステップＳ４０３）。
【０１４４】
そして、制御部１００は、ＯＳＤ部２０に対して、映像信号に合成するＯＳＤデータをベースバンド処理部３０に供給するように指示することによって、それまで合成されていた各撮影補助マーカーの合成を中止するようにし（ステップＳ４０４）、撮影補助マーカーの合成されていない映像信号を各映像出力端から出力するようにする（ステップＳ４０５）。
【０１４５】
このようにすることによって、各映像出力端から出力するようにされる映像信号から、撮影補助マーカーを消去して出力することができるようにされる。
【０１４６】
なお、撮影補助マーカーの消去については、ＯＳＤ部２０に対して撮影補助マーカーの形成とベースバンド処理部３０への供給を停止するように制御したり、また、ベースバンド処理部３０に対してＯＳＤ部２０からの撮影補助マーカーの合成を停止したりするようにする指示を出すことによって、撮影補助マーカーを消去するようにすることも可能である。
【０１４７】
［撮影補助マーカーの他の例］
上述した実施の形態においては、図２を用いて説明したように、センターマーカーＣＥ、４：３マーカーＳＤ、セーフティーゾーンマーカーＳＦの３種類の撮影補助マーカーが利用可能な場合を例にして説明したが、撮影補助マーカーは上述の３種類に限るものではない。
【０１４８】
図１２は、撮影補助マーカーの他の例を説明するための図である。図１２（Ａ）に示すように、表示画面Ｇの表示領域を９分割するようにし、その中央部分の領域を示すガイドフレームマーカーＧＦ１や、図１２（Ｂ）に示すように、表示画面Ｇの表示領域を９分割する９分割ガイドフレームマーカーＧＦ２や、図１２（Ｃ）に示すように、表示画像の９０％の領域を示す９０％セーフティーゾーンマーカーＳＦ１、表示画像の８０％の領域を示す８０％セーフティーゾーンマーカーＳＦ２などを用いるようにすることができる。もちろん、これ以外にも種々の撮影補助マーカーを用いるようにすることができる。
【０１４９】
また、同じ意味合いを有する撮影補助マーカーであっても、その表示態様を異ならせるようにしたもの、例えば、表示色、線種、枠の形などを異ならせるようにした種々の撮影補助マーカーを用いるようにすることが可能である。また、撮影補助マーカー毎に、表示色、線種、枠の形などをユーザが任意に変更できるようにすることも可能である。
【０１５０】
この場合には、撮影補助マーカー毎に、単に表示のオン／オフを示す情報だけでなく、表示色、線種、枠の形を示す情報も設定できるようにし、これに応じた撮影補助マーカーをＯＳＤ部２０において形成するようにすればよい。このように、利用可能な複数種類の種々の撮影補助マーカーを同時に利用できるようにする場合に、この発明を適用することが可能である。
【０１５１】
また、上述した実施の形態のデジタルビデオカメラにおいては、カメラ部１０を通じて撮影するようにした映像の映像信号を、その出力先に応じて、撮影補助マーカーの形成態様や表示／非表示を変化させるようにした。しかし、これに限るものではない。例えば、同一出力先に供給する映像信号であっても、そのフォーマットに応じて、撮影補助マーカーの形成態様や表示／非表示を切り替えるようにすることも可能である。
【０１５２】
また、通常１６：９パネルにはＨＤ映像を表示するが、ＳＤ変換した映像を表示する場合、４：３画角に切り出した映像となる。このとき、４：３画角に合わせた撮影補助マーカーを形成して合成し表示を行うようにすることも可能である。また、４：３マーカーをＬＣＤ８３に表示する場合を考えると、ＳＤ変換した映像においては、すでに画角が４：３であるので、４：３マーカー表示設定をしている場合においても、マーカー表示は行わないようにすることができる。
【０１５３】
また、出力先によって撮影補助マーカー表示を変化させるという観点から、ユーザの用途に合わせた使い方が行えるよう、出力先毎にマーカー表示をするか、しないかを設定することも可能である。
【０１５４】
なお、上述の実施の形態においては、この発明をデジタルビデオカメラに適用した場合を例にして説明したが、これに限るものではない。例えば、デジタルスチルカメラ、アナログ方式のビデオカメラやスチルカメラなど、種々の撮像装置にこの発明を適用することが可能である。
【０１５５】
なお、上述した実施の形態デジタルビデオカメラにおいては、図３、図４を用いて説明したように、用いようとする撮影補助マーカーを選択した後に、その選択した撮影補助マーカーの全体についての表示／非表示の設定を行うようにした。しかし、これに限るものではない。用いようとする撮影補助マーカーを選択するだけで、その選択した撮影補助マーカーの表示／非表示を切り替えるようにすることもできる。すなわち、図４を用いて説明したような選択した撮影補助マーカー全体についての表示／非表示の設定処理は省略するようにすることも可能である。
【図面の簡単な説明】
【０１５６】
【図１】この発明による装置、方法の一実施の形態が適用されたデジタルビデオカメラを説明するためのブロック図である。
【図２】図１に示したデジタルビデオカメラにおいて利用可能な撮影補助マーカーについて説明するための図である。
【図３】用いる撮影補助マーカーの選択処理を説明するための図である。
【図４】撮影補助マーカー全体についての表示のオン／オフの設定処理を説明するための図である。表示／非表示の
【図５】各映像出力端毎の４：３マーカーの利用について説明するための図である。
【図６】各映像出力端毎のセンターマーカーの利用について説明するための図である。
【図７】各映像出力端毎のセーフティーゾーンマーカーの利用について説明するための図である。
【図８】撮影補助マーカーの選択処理を説明するためのフローチャートである。
【図９】撮影補助マーカーを一体とする表示のオン／オフを設定する処理を説明するためのフローチャートである。
【図１０】撮影補助マーカーの表示処理について説明するためのフローチャートである。
【図１１】全ての撮影補助マーカーの表示を消去する処理を説明するためのフローチャートである。
【図１２】撮影補助マーカーの他の例を説明するための図である。
【符号の説明】
【０１５７】
１０…カメラ部、１１…光学ブロック、１２…ＣＣＤ、１３…前処理回路、１４…マイクロホン、１５…入出力処理部、１６…変換部、１７…音声出力端子、２０…ＯＳＤ（On Screen Display）部、３０…ベースバンド処理部、４０…圧縮／伸張処理部、５０…ＤＶ（Digital Video）処理部、６０…テープデッキ部、７０…デジタルインターフェース、７１…デジタル入出力端子、８１…Ｄ端子、８２…ＬＣＤ、８３…ＥＶＦ、８４…ＳＤ出力端子、９１…ＳＤ入力端子、８１ｉ、８２ｉ、８３ｉ、８４ｉ、９１ｉ…インターフェース、１００…制御部、１０１…ＣＰＵ、１０２…ＲＯＭ、１０３…ＲＡＭ、１１０…操作部
【図１】
2006135490.tif 000003
【図２】
2006135490.tif 000004
【図３】
2006135490.tif 000005
【図４】
2006135490.tif 000006
【図５】
2006135490.tif 000007
【図６】
2006135490.tif 000008
【図７】
2006135490.tif 000009
【図８】
2006135490.tif 000010
【図９】
2006135490.tif 000011
【図１０】
2006135490.tif 000012
【図１１】
2006135490.tif 000013
【図１２】
2006135490.tif 000014
【手続補正書】
【提出日】平成18年3月20日(2006.3.20)
【手続補正１】
【補正対象書類名】特許請求の範囲
【補正対象項目名】全文
【補正方法】変更
【補正の内容】
【特許請求の範囲】
【請求項１】
被写体を撮像して映像信号を出力する撮像手段と、
前記撮像手段より出力された映像信号をそれぞれ異なる形式で出力する複数の出力端部と、
複数の前記出力端部のそれぞれに供給する前記映像信号の形式に応じて、前記撮像手段より出力された映像信号に対して合成する撮影補助マークを形成する形成手段と、
前記形成手段により形成された撮影補助マークを、前記撮像手段からの前記映像信号に合成する合成手段と、
前記形成手段と前記合成手段とを制御し、複数の前記出力端部のそれぞれに供給する前記映像信号に対して、複数の前記出力端部のそれぞれに供給する前記映像信号の形式に応じて形成した前記撮影補助マークを合成するように制御する制御手段と
を備えることを特徴とする撮像装置。
【請求項２】
複数の前記出力端部は、それぞれアスペクト比の異なる映像信号を出力する複数の出力端部を含み、
前記制御手段は、複数の前記出力端部に供給される映像信号のアスペクト比に応じた撮影補助マークを前記映像信号に合成するように制御することを特徴とする請求項１に記載の撮像装置。
【請求項３】
複数の前記出力端部は、４：３および１６：９アスペクト比の映像信号をそれぞれ出力する複数の出力端部を含み、
前記制御手段は、１６：９アスペクト比の映像信号を出力する出力端部に供給する映像信号に対して４：３マークを合成し、４：３アスペクト比の映像信号を出力する出力端部に供給する映像信号に対して前記４：３マークを合成しないように制御することを特徴とする請求項２に記載の撮像装置。
【請求項４】
複数の前記出力端部は、少なくとも、ＳＤ（Standard Definition）フォーマットの映像信号を出力する出力端部と、ＨＤ（High Definition）フォーマットの映像信号を出力する出力端部とを含み、
前記制御手段は、ＳＤフォーマットにて映像信号を出力する出力端部に供給する映像信号とＨＤフォーマットにて映像信号を出力する出力端部に供給する映像信号とのそれぞれに対して異なる合成処理を施すように制御することを特徴とする請求項１に記載の撮像装置。
【請求項５】
被写体を撮像して映像信号として取り込むようにする撮像手段を備える撮像装置において、前記撮像手段により取り込まれた映像信号に対して撮影補助マークを合成して用いるようにする場合の撮影補助マーク利用制御方法であって、
当該撮像装置は、前記撮像手段により取り込まれた前記映像信号に応じた映像信号を出力するようにする複数の出力端部を備えており、
前記撮像手段を通じて被写体を撮像して映像信号を取り込む撮像工程と、
複数の前記出力端部のそれぞれに供給する前記映像信号の形式に応じて、前記撮像工程において取り込んだ前記映像信号に対して合成する撮影補助マークを形成する形成工程と、
複数の前記出力端部のそれぞれに供給する前記映像信号に対して、前記形成工程において複数の前記出力端部のそれぞれに供給する前記映像信号の形式に応じて形成した前記撮影補助マークを合成する合成工程と
を有することを特徴とする撮影補助マーク利用制御方法。
【請求項６】
複数の前記出力端部は、それぞれアスペクト比の異なる映像信号を出力する複数の出力端部を含み、
前記形成工程においては、複数の前記出力端部に供給される映像信号のアスペクト比に応じた撮影補助マークを形成することを特徴とする請求項５に記載の撮影補助マーク利用制御方法。
【請求項７】
複数の前記出力端部は、４：３および１６：９アスペクト比の映像信号をそれぞれ出力する複数の出力端部を含み、
前記形成工程においては、１６：９アスペクト比の映像信号を出力する出力端部に供給する映像信号に対して４：３マークを形成し、４：３アスペクト比の映像信号を出力する出力端部に供給する映像信号に対して前記４：３マークを形成しないようにすることを特徴とする請求項６に記載の撮影補助マーク利用制御方法。
【請求項８】
複数の前記出力端部は、少なくとも、ＳＤ（Standard Definition）フォーマットの映像信号を出力する出力端部と、ＨＤ（High Definition）フォーマットの映像信号を出力する出力端部とを含み、
前記形成手段においては、ＳＤフォーマットにて映像信号を出力する出力端部に供給する映像信号とＨＤフォーマットにて映像信号を出力する出力端部に供給する映像信号とのそれぞれに対して、同一種類であるが各フォーマットに対応した撮影補助マークを形成することを特徴とする請求項５に記載の撮影補助マーク利用制御方法。
【手続補正２】
【補正対象書類名】明細書
【補正対象項目名】００１０
【補正方法】変更
【補正の内容】
【００１０】
上記課題を解決するため、請求項１に記載の発明の撮像装置は、
被写体を撮像して映像信号を出力する撮像手段と、
前記撮像手段より出力された映像信号をそれぞれ異なる形式で出力する複数の出力端部と、
複数の前記出力端部のそれぞれに供給する前記映像信号の形式に応じて、前記撮像手段より出力された映像信号に対して合成する撮影補助マークを形成する形成手段と、
前記形成手段により形成された撮影補助マークを、前記撮像手段からの前記映像信号に合成する合成手段と、
前記形成手段と前記合成手段とを制御し、複数の前記出力端部のそれぞれに供給する前記映像信号に対して、複数の前記出力端部のそれぞれに供給する前記映像信号の形式に応じて形成した前記撮影補助マークを合成するように制御する制御手段と
を備えることを特徴とする。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】変更
【補正の内容】
【００２１】
そして、例えば、アスペクト比が１６：９の表示画面を有するＬＣＤや、アスペクト比が４：３とされた映像信号を出力するＳＤ（Standard Definition）端子などの信号の形式（フォーマット）の異なる映像信号を扱う複数の出力端部が設けられている場合に、制御手段により、形成手段が制御され、形成が指示された撮影補助マークの内、各出力端に供給する映像信号の形式に応じた撮影補助マークが形成するようにされる。また、合成手段により、各出力端に供給する形式の異なる映像信号のそれぞれに対して、対応する撮影補助マークが合成するようにされる。
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００５３
【補正方法】変更
【補正の内容】
【００５３】
［複数の撮影補助マーカーの利用について］
そして、この実施の形態のデジタルビデオカメラは、上述もしたように、複数の撮影補助マーカー（撮影補助枠などの撮影補助マーク）をＯＳＤ部２０において形成し、複数の撮影補助マーカーを映像データに合成することができるものである。図２は、この実施の形態のデジタルビデオカメラにおいて利用することが可能な撮影補助マーカーを説明するための図である。
【手続補正１６】
【補正対象書類名】明細書
【補正対象項目名】００８２
【補正方法】変更
【補正の内容】
【００８２】
［撮影モードに応じた撮影補助マーカーの利用］
そして、この実施の形態のデジタルビデオカメラは、上述もしたように被写体の映像をアスペクト比が１６：９の映像として取り込むようにするＨＤモードと、被写体の映像をアスペクト比が４：３の映像として取り込むようにするＳＤモードとの２つの撮影モードを備えている。
【手続補正１７】
【補正対象書類名】明細書
【補正対象項目名】００９２
【補正方法】変更
【補正の内容】
【００９２】
［出力端に応じた撮影補助マーカーの利用］（請求項１〜請求項８）
また、この実施の形態のデジタルビデオカメラは、図１を用いて説明したように、複数の映像信号の出力端部（映像出力端部）を備えている。すなわち、Ｄ端子８１、ＬＣＤ８２、ＥＶＦ８３、ＳＤ出力端子８４を備えている。これらの映像出力端部の内、上述したように、Ｄ端子８１、ＬＣＤ８２、ＥＶＦ８３のそれぞれは、アスペクト比が１６：９の映像信号に対応可能であるが、ＳＤ出力端子８４は、アスペクト比が４：３のＳＤ信号用のものである。
【手続補正１８】
【補正対象書類名】明細書
【補正対象項目名】０１０７
【補正方法】変更
【補正の内容】
【０１０７】
［直接キーの利用について］
なお、上述したように、撮影補助マーカーの表示のオン／オフの設定や撮影補助マーカー全体の表示のオン／オフの設定は、ＬＣＤ８２の表示画面８２Ｇに表示されるメニュー表示に応じて、操作部１１０の矢印キーなどの操作キーを操作することにより行うようにした。しかし、図３、図４を用いて説明したように、目的とする処理を行うためには、複数の操作を行わなければならず、手間や時間がかかる場合がある。
【手続補正１９】
【補正対象書類名】明細書
【補正対象項目名】０１２３
【補正方法】変更
【補正の内容】
【０１２３】
そして、制御部１００は、表示のオン／オフ（入／切）のいずれが選択されたかを判断し（ステップＳ１１５）、表示の入（表示オン）が選択された場合には、「セーフティーゾーンマーカー表示有り」を示すように、フラッシュＲＯＭ１０２に情報を設定する（ステップＳ１１６）。また、ステップＳ１１５の判断処理において、表示の切（表示オフ）が選択された場合には、「セーフティーゾーンマーカー表示なし」を示すように、フラッシュＲＯＭ１０２に情報を設定する（ステップＳ１１７）。ステップＳ１１６またはステップＳ１１７の処理の後、制御部１００は、ステップＳ１０２からの処理を繰り返す。